(57)【特許請求の範囲】
【請求項１】
電子回路（２０）と、取り外し可能な電子部品（３４）用のコンセント（５２）とを有する筐体（３８）と、
前記筐体から延伸し、電子装置（１２）のコンセント（３６）と接続するプラグ（３０）と、
前記筐体に取り付けられ、前記電子装置の前記コンセントとの前記プラグの接続を物理的に妨げるように前記筐体に対して移動可能な第１の部材（５０）と
を備え、
前記電子回路は、前記取り外し可能な電子部品用の前記コンセントを介して、取り外し可能な電子部品とインタフェースを確立し、
前記取り外し可能な電子部品用の前記コンセントは、前記電子装置の前記コンセントとの前記プラグの接続を妨げるように前記第１の部材が動かされると、アクセス可能となることを特徴とする電子装置用アクセサリ（１０）。
【請求項２】
前記筐体に取り付けられ、前記筐体に対して移動可能な第２の部材（４０）をさらに備え、
前記第２の部材は、アンテナ（２６）を含むことを特徴とする請求項１に記載の電子装置用アクセサリ。
【請求項３】
前記筐体に取り付けられ、前記筐体に対して移動可能な第２の部材（４０）をさらに備え、
前記第２の部材は、前記プラグ用のカバー（４４）を含むことを特徴とする請求項１に記載の電子装置用アクセサリ。
【請求項４】
前記電子装置の前記コンセントとの前記プラグの接続を妨げるように前記第１の部材を動かすことによって、前記筐体の内部へのアクセスが可能となることを特徴とする請求項１乃至３の何れか１項に記載の電子装置用アクセサリ。
【請求項５】
前記電子装置用アクセサリは、アンテナ（２６）を含み、前記電子装置と通信ネットワーク（１４）との間において無線データ接続を確立するためのコミュニケータであることを特徴とする請求項１乃至４の何れか１項に記載の電子装置用アクセサリ。
【請求項６】
電子回路（２０）と、取り外し可能な電子部品（３４）用のコンセント（５２）とを有する筐体（３８）と、
前記筐体から延伸し、電子装置（１２）のコンセント（３６）と接続するプラグ（３０）と、
前記筐体に取り付けられ、前記筐体に対して移動可能な部材（５０）と
を備え、
前記電子回路は、前記取り外し可能な電子部品用の前記コンセントを介して、取り外し可能な電子部品とインタフェースを確立し、
前記取り外し可能な電子部品用の前記コンセントは、前記電子装置の前記コンセントとの前記プラグの接続を妨げるように前記部材が動かされると、アクセス可能となることを特徴とする電子装置用アクセサリ（１０）。
【請求項７】
前記部材は、前記プラグのカバー位置まで移動可能であることを特徴とする請求項６に記載の電子装置用アクセサリ。
【請求項８】
前記電子装置用アクセサリは、前記電子装置と通信ネットワーク（１４）との間において無線データ接続を確立するためのコミュニケータであることを特徴とする請求項６又は７に記載の電子装置用アクセサリ。
【請求項９】
電子回路（２０）と、取り外し可能な電子部品（３４）用のコンセント（５２）を有する筐体（３８）と、
前記筐体から延伸し、電子装置（１２）のコンセント（３６）と接続するプラグ（３０）と、
前記筐体に取り付けられ、第１の位置と第２の位置との間において前記筐体に対して移動可能な部材（５０）と
を備え、
前記第１の位置は、前記電子装置と電子装置用アクセサリとの間の電気的インタフェースを可能にし、
前記第２の位置は、前記電子装置と前記電子装置用アクセサリとの間の前記電気的インタフェースの確立を妨げ、
前記電子回路は、前記取り外し可能な電子部品用の前記コンセントを介して、取り外し可能な電子部品とインタフェースを確立し、
前記取り外し可能な電子部品用の前記コンセントは、前記第２の位置に前記部材が動かされると、アクセス可能となることを特徴とする電子装置用アクセサリ（１０）。
【請求項１０】
電子回路（２０）と、取り外し可能な電子部品（３４）用のコンセント（５２）を有する筐体（３８）と、
前記筐体から延伸し、電子装置（１２）のコンセント（３６）と接続するプラグ（３０）と、
前記筐体に取り付けられ、前記プラグをカバーするように前記筐体に対して移動可能な部材（５０）と
を備え、
前記電子回路は、前記取り外し可能な電子部品用の前記コンセントを介して、取り外し可能な電子部品とインタフェースを確立し、
前記取り外し可能な電子部品用の前記コンセントは、前記プラグをカバーするように前記部材が動かされると、アクセス可能となることを特徴とする電子装置用アクセサリ（１０）。
【発明の詳細な説明】
【技術分野】
【０００１】
本発明は、一般に、コンピュータと通信ネットワーク間において通信リンクを確立するために用いることができるコミュニケータのような電子装置用アクセサリに関するものである。さらに詳細には、本発明は、可動部材を含む電子装置用アクセサリに関するものである。
【背景技術】
【０００２】
多くのコンピュータ用のアクセサリは、コネクタを用いてコンピュータとのインタフェースを確立する。例えば、アクセサリが、コンピュータの差込み用コンセントと機械的かつ電気的にインタフェースを確立するユニバーサルシリアルバス（ＵＳＢ）プラグを備えていることは普通のことである。アクセサリによっては、アクセサリが使われていないとき、プラグをカバーするための取り外し可能なプラグカバーを備えているものもある。プラグカバーは、プラグへの損傷が生じる可能性を少なくすることができる。しかし不都合なことに、取り外し可能なカバーは紛失しやすいものである。
【０００３】
多くのＵＳＢアクセサリデバイスはＵＳＢホストデバイスとのＵＳＢインタフェースを介して電力を受けるようになっている。アクセサリによっては取り外し可能な部品を含むことができるものもある。例えば、（ＵＳＢモデムなどの）移動コミュニケータは加入者識別モジュール（ＳＩＭ）カードを含むものであってもよい。コミュニケータの中へＳＩＭカードを挿入している間に、或いは、コミュニケーからＳＩＭカードを取り外している間に電力がＳＩＭカードに供給されないようにすることが望ましい。
【発明の概要】
【発明が解決しようとする課題】
【０００４】
電子装置用アクセサリの取り外し可能な部品の挿入中又は取り外し中に当該部品に電力が供給される可能性を低減するために、改善された電子装置用アクセサリに関する技術が必要となる。例えば、このような改善された電子装置用アクセサリの１つとして、取り外し可能な部品用のコンセントがユーザによりアクセス可能な場合、電子装置とのインタフェースの確立を妨げる可動部材を有するものがある。アクセサリを使用していないときの、電子装置用アクセサリのプラグにおける信頼性の高いカバーに対する要望も当技術分野において存在する。一の実施形態では、改善された電子装置用アクセサリがプラグをカバーする取り付け可動部材を有するものとなる。
【課題を解決するための手段】
【０００５】
本発明の一の側面によれば、電子装置用アクセサリは、電子回路を有する筐体と、電子装置のコンセントと接続され、筐体から延伸するプラグと、電子装置のコンセントとのプラグの接続を物理的に妨げるように筐体に取り付けられ、かつ、筐体に対して移動可能な部材と、を含む。
【０００６】
一の実施形態によれば、電子装置用アクセサリは、筐体に取り付けられ、かつ、筐体に対して移動可能な第２の部材をさらに含み、第２の部材は、プラグ用のアンテナ又はカバーのうちの少なくとも一方を含む。
【０００７】
電子装置用アクセサリの一の実施形態によれば、電子装置のコンセントを備えたプラグの接続を妨げるように部材を動かすことによって筐体の内部へのアクセスが可能となる。
【０００８】
電子装置用アクセサリの一の実施形態によれば、電子回路は、取り外し可能な電子部品とインタフェースを確立し、電子装置のコンセントとのプラグの接続を妨げるように部材が動かされると、取り外し可能な電子部品用のコンセントへのアクセスが可能となる。
【０００９】
電子装置用アクセサリの一の実施形態によれば、電子装置用アクセサリは、アンテナを含み、電子装置と通信ネットワークとの間において無線データ接続を確立するためのコミュニケータである。
【００１０】
電子装置用アクセサリの一の実施形態によれば、電子回路は、取り外し可能な電子部品とインタフェースを確立する。
【００１１】
電子装置用アクセサリの一の実施形態によれば、取り外し可能な電子部品は、電子回路とインタフェースを確立すると、筐体の中に完全に含まれることになる。
【００１２】
電子装置用アクセサリの一の実施形態によれば、取り外し可能な電子部品は加入者識別モジュール（ＳＩＭ）カードである。
【００１３】
電子装置用アクセサリの一の実施形態によれば、部材は筐体にヒンジ可能に接続される。
【００１４】
電子装置用アクセサリの一の実施形態によれば、部材は筐体に滑動可能に接続される。
【００１５】
電子装置用アクセサリの一の実施形態によれば、部材はアンテナを含む。
【００１６】
電子装置用アクセサリの一の実施形態によれば、電子装置用アクセサリは、電子装置と通信ネットワークとの間において無線データ接続を確立するためのコミュニケータである。
【００１７】
電子装置用アクセサリの一の実施形態によれば、コミュニケータはユニバーサルシリアルバス（ＵＳＢ）モデムである。
【００１８】
本発明の別の側面によれば、電子装置用アクセサリには、電子回路を有する筐体と、筐体から延伸し、電子装置のコンセントと接続するプラグと、筐体に対して移動可能であり、筐体に取り付けられ、アンテナを含む部材とが含まれる。
【００１９】
電子装置用アクセサリの一の実施形態によれば、部材はプラグをカバーする位置まで移動可能である。
【００２０】
電子装置用アクセサリの一の実施形態によれば、電子回路は、取り外し可能な電子部品とインタフェースを確立する。
【００２１】
電子装置用アクセサリの一の実施形態によれば、取り外し可能な電子部品は、電子回路とインタフェースを確立すると、筐体の中に完全に含まれることになる。
【００２２】
電子装置用アクセサリの一の実施形態によれば、取り外し可能な電子部品は加入者識別モジュール（ＳＩＭ）カードである。
【００２３】
電子装置用アクセサリの一の実施形態によれば、電子装置用アクセサリは、電子装置と通信ネットワークとの間において無線データ接続を確立するためのコミュニケータである。
【００２４】
電子装置用アクセサリの一の実施形態によれば、コミュニケータはユニバーサルシリアルバス（ＵＳＢ）モデムである。
【００２５】
本発明のさらに別の側面によれば、電子装置用アクセサリには、電子回路を有する筐体と、筐体から延伸し、電子装置のコンセントと接続するプラグと、筐体に取り付けられ、第１の位置と第２の位置との間において筐体に対して移動可能な部材とが含まれる。第１の位置は、電子装置と電子装置用アクセサリとの間の電気的インタフェースを可能にする位置であり、第２の位置は、電子装置と電子装置用アクセサリとの間において電気的インタフェースの確立を妨げる位置である。
【００２６】
電子装置用アクセサリの一の実施形態によれば、電気的インタフェースの確立に対する妨害は、部材と電子装置の物理的インタラクションの結果として生じる。
【００２７】
電子装置用アクセサリの一の実施形態によれば、電気的インタフェースの確立に対する妨害は、電子回路から、電子装置用アクセサリの取り外し可能な電子部品へ供給される電力又は信号の少なくとも部分的切断の結果として生じる。
【００２８】
本発明のさらに別の側面によれば、電子装置用アクセサリには、電子回路を有する筐体と、電子装置のコンセントと接続され、筐体から延伸するプラグと、プラグをカバーするように筐体に対して移動可能な、筐体に取り付けられた部材とが含まれる。
【００２９】
本発明のこれらの特徴並びにさらなる特徴は、以下の説明及び添付図面を参照するとき明らかになる。説明と図面において、本発明の原理を採用できる方法のうちのいくつかの方法を示すものとして本発明の特定の実施形態を詳細に開示するが、これに対応して本発明がこれらの実施形態の範囲に限定されるわけではないことは明らかである。逆に、本発明は、本明細書に添付の請求項の精神と文言に含まれているすべての変更、修正及び均等物を含むものである。
【００３０】
一の実施形態に関して説明と例示の少なくともいずれかを行った上記特徴は、１以上の別の実施形態において、又は、その他の実施形態の特徴と組み合わせた形態か、その他の実施形態の特徴の代わりの形態かの少なくともいずれかの形態で、同一の方法又は同様の方法で利用することが可能である。
【００３１】
本明細書で使用される場合、「備える／備えている（comprises／comprising）」という用語は、言及された特徴、整数、ステップ又は構成の存在を特定するために用いられるが、これら以外の特徴、整数、ステップ、構成、又はこれらのグループの存在又は追加を排除するものではないという点を強調しておく。
【図面の簡単な説明】
【００３２】
【図１】例示の電子装置用アクセサリが動作可能な通信システムの概略図である。
【図２】本発明の実施形態に係る例示の電子装置用アクセサリの機能ブロック図である。
【図３】開いた位置に配置された可動部材を有する、本発明の実施形態に係る例示の電子装置用アクセサリの透視図である。
【図４】閉じた位置に可動部材を配置した図３の電子装置用アクセサリの透視図である。
【図５】閉じた位置に可動部材を配置した本発明の実施形態に係る例示の電子装置用アクセサリの透視図である。
【図６】開いた位置に可動部材を配置した図５の電子装置用アクセサリの透視図である。
【発明を実施するための形態】
【００３３】
以下図面を参照しながら本発明の実施形態について説明する。同じ要素を指すために図面を通して同じ参照番号を用いることにする。これらの図面は必ずしも縮尺どおりではないことは理解されよう。
【００３４】
本発明は、主に電子装置用アクセサリを例に説明する。例示のアクセサリは電子装置と通信ネットワークとの間において無線インタフェースを確立するためのコミュニケータである。例示の電子装置はコンピュータである。アクセサリがコミュニケータのみに限定されるものではないこと、そして、アクセサリが、メモリ装置、カメラ、移動電話機、メディア・プレイヤ、などのような別のタイプの装置であってもよいことは理解できよう。電子装置がコンピュータのみに限定されるものではないこと、そして電子装置は、携帯情報端末（ＰＤＡ）、ゲーム用装置、販売用又はバンキング用の端末、などのような別のタイプの装置であってもよいことは理解できよう。したがって、本発明は、本明細書に例示し、説明する例示のコンテキストに限定されることを意図するものではなく、任意のタイプの適当な電子機器に関連させることが可能である。また、互換可能な用語「電子機器」及び「電子装置」には携帯無線通信機器が含まれるものとする。本明細書で以後「移動無線端末」と称する「携帯無線通信機器」という用語は、移動電話機、ページャ、コミュニケータ、電子手帳、ＰＤＡ、スマートフォン、携帯通信装置等のようなすべての機器を意味するものとする。
【００３５】
まず図１を参照すると、例示の電子装置用アクセサリ１０が示されている。この例示のアクセサリは、電子装置１２と機械的に、かつ、電子的にインタフェースを確立する。例示の実施形態では、電子装置１２はコンピュータであり、アクセサリ１０はコミュニケータである。さらに詳細には、アクセサリ１０は電子装置１２と通信ネットワーク１４との間に通信リンクを確立するためのモデムである。例示の実施形態では、通信ネットワーク１４には、１以上の移動電話機１８によって送信され、１以上の移動電話機１８へ向けて送られる呼を管理し、移動電話機１８へのデータ送信と、移動電話機１８からのデータ送信との少なくともいずれかのデータ送信を管理し、そして、他の任意のサポート機能も実行するサーバ１６（又は複数のサーバ）が含まれている。サーバ１６はまた、アクセサリ１０と通信ネットワーク１４との間において確立される通信リンクを管理してもよい。通信ネットワーク１４は移動電話機１８とアクセサリ１０との少なくともいずれかと通信を行う伝送媒体を含んでもよい。伝送媒体は、例えば、（セルタワーなどの）通信タワー、他の移動電話機、無線アクセスポイント、衛星などを含む任意の適当な装置か、アセンブリであってもよい。理解されるように、サーバ１６は、サーバ機能を実行するために用いられる一般的なコンピュータシステムとして構成することが可能であり、サーバ１６の機能を具現化する論理演算命令を有するソフトウェアを実行するプロセッサと、このようなソフトウェアを記憶するメモリとを含んでもよい。
【００３６】
通信システム１４は、例えばセルラ回線交換ネットワークなどであってもよい。しかし、別のタイプのネットワーク又はシステムも可能である。例えば、システム１４は、（ＩＥＥＥ規格８０２．１１などに基づく）ＷｉＦｉなど、（ＩＥＥＥ規格８０２．１６などに基づく）ＷｉＭＡＸなどを用いて、アクセサリ１０と移動電話機１８の少なくともいずれかとの通信をサポートするパケット交換ネットワークであってもよい。
【００３７】
さらに図２を参照すると、コミュニケータとして構成される場合のアクセサリ１０の機能ブロック図が示されている。アクセサリ１０は電子回路２０を含むものであってもよい。電子回路２０は、例えば、アクセサリ１０の機能及び動作の制御全体を実行する主制御回路２２を含むものであってもよい。制御回路２２はマイクロコントローラのような処理装置を含むことができ、あるいは、さらに高度の非常に複雑な装置では、処理装置は中央演算処理装置又はマイクロプロセッサであってもよい。制御回路２２はメモリ及び他の任意のサポート回路を含むものであってもよい。制御回路２２は、アクセサリ１０の動作を実行するために、（ファームウェア又はメモリによって記憶された記憶済みのコードなどの）論理演算命令を実行することができる。このような機能性は専用ハードウェア、又は、ハードウェアと（例えば、ファームウェアとソフトウェアの少なくともいずれかのような）論理演算命令との組み合わせを介して実行することも可能である。
【００３８】
電子回路２０はアンテナ２６と結合された無線回路２４をさらに含むものであってもよい。例えば、無線回路２４は、アンテナ２６を介して通信ネットワーク１４と（又は電子装置と直接）信号のやりとりをするための無線周波数送受信機を含むことができる。図２に示すように、無線回路２４は、移動通信システムにおいて動作するように構成することが可能であり、さらに、（例えば、呼を実行するオーディオコンテンツとビデオコンテンツとの少なくともいずれかを含む）データの送受信を行うために用いることも可能である。移動無線ネットワークと放送ネットワークとの少なくともいずれかとインタラクションを行うための無線回路の種類は、ＧＳＭ、ＣＤＭＡ、ＷＣＤＭＡ、ＧＰＲＳ、ＭＢＭＳ、ＷｉＦｉ、ＷｉＭＡＸ、ＤＶＢ−Ｈ、ＩＳＤＢ−Ｔなど、並びにこれらの規格の高度なバージョンを含むが、これらのみに限定されるわけではない。
【００３９】
電子回路２０は、本明細書でプラグ３０と称する電気コネクタと制御回路２２とを結合するインタフェース回路２８をさらに含むものであってもよい。プラグ３０は、アクセサリ１０と電子装置１２との間に物理的及び電気的接続を確立するために用いることができる。例示の実施形態では、プラグ３０は、１以上のユニバーサルシリアルバス（ＵＳＢ）規格に基づいて構成されるプラグである。プラグ３０が、ＩＥＥＥ規格１３９４に基づいて構成された（ファイヤーワイヤなどの）コネクタ、何らかの別の規格に基づいて構成されたコネクタのような別のタイプのコネクタあるいは独自仕様のコネクタであってもよいことは理解できよう。インタフェース回路２８はインタフェースコントローラであってもよい。例えば、プラグ３０がＵＳＢプラグである実施形態では、インタフェース回路２８をＵＳＢコントローラとすることも可能である。
【００４０】
電子回路２０は、制御回路２２を取り外し可能な部品３４と結合するインタフェース回路３２をさらに含むものであってもよい。図示の例では、取り外し可能な部品３４は加入者識別モジュール（ＳＩＭ）カードである。理解されるように、ＳＩＭカードはメモリ部品を含むことが可能であり、移動電話サービスの加入者を特定する情報並びに会員登録情報、保存済み電話番号、お気に入り情報、テキストメッセージ及び他の情報を安全に記憶するために用いることができる。ＳＩＭカードは、現在のロケーションエリア識別番号（ＬＡＩ）のようなネットワーク状態情報を記憶することができる。ＳＩＭカードは、国際回線カード識別子（ＩＣＣＩＤ）によって一意的に特定することができ、さらに、ユーザを国際移動加入者識別子（ＩＭＳＩ）によって一意的に特定することができる。同様の目的のために機能する別のタイプの取り外し可能な部品を用いることも可能である。例えば、汎用移動体通信システム（ＵＭＴＳ）とともに使用するユニバーサル加入者識別モジュール（ＵＳＩＭ）を採用することも可能である。
【００４１】
図示のように、例示のアクセサリ１０はコミュニケータであり、さらに詳細には、組み込まれたＳＩＭカードホールダを備えるＵＳＢモデムである。ＳＩＭカードを備えたアクセサリ１０が対応する電子装置１２のコンセント３６（図１）の中へ「プラグ」されると、電子装置は通信ネットワーク１４又は別の装置と通信を行うことが可能となる。この結果として生じる通信リンクは、情報のやりとり、従来方式の回線交換による通話、即ち（ボイス・オーバ・インターネットプロトコル、即ちＶｏＩＰコールなどの）パケット交換通話の実行、インターネットへのアクセス、などのような関連する機能を実行するために用いることができる。
【００４２】
アクセサリ１０は、別のタイプの装置か、コミュニケータ機能に加えて諸機能を実行する構成要素を含む装置かの少なくともいずれかの装置であってもよい。一の実施形態では、アクセサリ１０は、無線回路２４とアンテナ２６とが省かれ、かつ、取り外し可能な部品がフラッシュメモリカードのような取り外し可能なメモリカードであってもよい。
【００４３】
さらに図３及び図４を参照すると、アクセサリ１０はプラグ３０の延伸元である筐体３８を有してもよい。可動部材４０を筐体３８に固着して、筐体３８から可動部材４０を容易に取り外せないようにすることができる。筐体３８及び可動部材４０は、例えば、成形されたポリマ材から生成することができる。例示の実施形態では、可動部材４０は筐体までヒンジで動き、開いた位置の状態が図３に示されている。可動部材４０は図４に示すように閉じた位置へスイングすることができる。可動部材が閉じた位置にあるとき、筐体３８内の凹部４２は、可動部材４０を収納することができる。
【００４４】
例示の実施形態では、可動部材４０の端部はプラグカバー４４を含む。プラグカバー４４は可動部材４０に対して垂直な１以上の壁部４６を有している。可動部材４０が閉じた位置へ動かされると、壁部４６はスライドし、対向するプラグ３０の側面及びプラグ３０の開かれた端部と係合する。プラグ３０の例示の実施形態では、プラグ３０は直列のＵＳＢプラグとして構成される。プラグ３０のこのような構成では、頂部と底部とを共に備えた側部は、電気コネクタが配置される空洞部を形成することになる。別のタイプのプラグは、同様の空洞部と開かれた端部の少なくともいずれかを有してもよい。プラグ３０の開かれた端部をカバーする壁部４６によって、異物が空洞部の中に入り、プラグ３０を損傷する可能性を低減することが可能となる。閉じた位置における可動部材４０の保持を支援するために、１以上の壁部４６がプラグ３０上でぴったり嵌合する戻り止め４８を設けることができる。プラグ３０から戻り止め４８を外すためには、可動部材４０に対して持ち上げる力が加えられる。
【００４５】
理解されるように、アクセサリ１０が使われていないとき、カバー４４はプラグ３０をカバーすることができる。カバー４４はヒンジ可能に接続された可動部材４０を介して筐体３８に付けられ、カバー４４が紛失する可能性を少なくする。また、カバー４４は、プラグ３０上に配置されると、プラグ３０とコンセント３６との間での接続の確立を物理的に妨げることができる。
【００４６】
一の実施形態では、アンテナ２６（図２）は可動部材４０内に配置することができる。可動部材４０と筐体３８との間のヒンジ接続部の中を通る１以上の導電体がアンテナ２６を無線回路２４と結合することができる。一の実施形態では、この導電体は、可動部材４０が開いた位置にあるとき、アンテナ２６と無線回路２４との間において電気的接続が確立されるように配設され、可動部材４０が閉じた位置にあるとき、電気的接続が切断されるように配設されることができる。アンテナ２６を可動部材と一体化するには、ユーザがアンテナ２６を動かして、信号強度の最適化が可能となるようにすることによって、通信ネットワーク１４又は別の装置との無線通信リンクの改善を可能にする。別の実施形態では、アンテナ２６を筐体３８内に配置することも可能である。
【００４７】
さらに図５及び図６を参照すると、アクセサリ１０は別の可動部材５０を含むことができる。可動部材５０を筐体３８に固着して、筐体３８から可動部材５０を容易に取り外せないようにすることが可能となる。理解されるように、アクセサリ１０は、（例えば図４に最もよく示されているように）可動部材４０、５０のうちの一方のみ又は可動部材４０、５０の双方を含むものであってもよい。可動部材５０は、例えば成形されたポリマ材から作成することができる。
【００４８】
可動部材５０は取り外し可能な電子部品３４用のコンセント５２をカバーする役割を果たすことができる。例示の実施形態では、コンセント５２は、ＳＩＭカードを機械的に受け入れ、当該ＳＩＭカードと電気的インタフェースを確立するカードホールダである。可動部材５０は、図６に示すような開いた位置と、図４及び図５に示すような閉じた位置との間において動くことができる。閉じた位置における可動部材５０の保持を支援するために、１以上の戻り止め５４が（例えば、窪み又は可動部材５０の戻り止めなどの）対応する構造と相互作用する。また、開いた位置における可動部材５０の保持を支援するために、１以上の戻り止め５６が（例えば窪み、戻り止め又は可動部材５０の引き出し後領域（trailing edge）５８などの）対応する構造と相互作用する。対応する筐体の窪み６２の中に受け入れることができる可動部材５０の引き出し後領域における戻り止め６０は、摩擦部を形成し、この摩擦部とぴったり嵌合するか、又は締まり嵌めを行う。
【００４９】
開いた位置にあるとき、ユーザは、コンセント５２に対して、取り外し可能な部品３４を取り外すか、挿入するかの少なくともいずれかを行うことができる。取り外し可能な部品３４がコンセント５２の中へ挿入され、可動部材５０が閉じられると、取り外し可能な部品３４はアクセサリ１０の内部に完全に含まれたものと見なすことができる。
【００５０】
開いた位置にあるとき、可動部材５０の前面部は図６に最もよく示されているようにプラグ３０をカバーすることができる。可動部材５０のこの開いた位置では、可動部材５０が最初に閉じられなければ、対応するコンセント３６の中へプラグ３０を挿入することはできなくなる。すなわち、コンセント５２へのアクセスをユーザに提供できるように可動部材５０が開いた位置にあるとき、可動部材５０はコンセント３６内へのプラグ３０の挿入を物理的に妨げることが可能となる。
【００５１】
さらに、アクセサリ１０と電子装置１２との間においてインタフェースを確立することができるようにプラグ３０がコンセント３６の中へ挿入されると、コンセント５２へのユーザアクセスは最小限にとどめられる。すなわち、可動部材５０が閉じた位置にあるとき、コンセント５２はカバーされ、プラグ３０のカバーは外されて、コンセント３５内へのプラグ３０の挿入が許されることになる。さらに、コンセント３６を取り囲む電子装置の筐体又は他の構造上の構成要素によって可動部材５０が開くことが妨げられることになる。特に、可動部材５０の先端部６４は電子装置１２を係合して、可動部材５０が開くことを妨げるように作用することになる。
【００５２】
アクセサリ１０が電子装置１２とインタフェースを確立し、かつ、おそらく動作電力を電子装置１２から受けているとき、可動部材５０と、プラグ３０と、コンセント５２とから成る配置構成は、ユーザによる取り外し可能な部品３４の挿入又は当該部品の取り外しが行われる可能性を最小限にとどめるものであることは理解できよう。したがって、アクセサリ１０の物理的構成によって、都合の悪い時点における取り外し可能な部品３４の挿入又は取り外しによって生じる、取り外し可能な部品３４と、アクセサリ１０と、電子装置１２とのうちの少なくともいずれかの損傷のリスクが減らされることになる。
【００５３】
例示し、記載した実施形態は、プラグ３０がコンセント３６の中へ挿入されているとき、プラグ３０をカバーするか、取り外し可能な部品３４の取り外しを最小限にとどめるかの少なくともいずれかを行う技術を表す例示の表現であることは理解できよう。別の実施形態も可能である。本発明は例示の表現の例示と説明とによって限定されるものではない。例えば、別の可能な実施形態が、プラグ３０に隣接して延伸するか、プラグ３０の空洞部を貫通して延伸する指状のものと、スライド可能な又は回動可能な可動部材とを結合する実施形態となることも考えられる。可動部材はコンセント５２を選択的にカバーすることが可能であり、さらに、プラグ３０がコンセント３６の中へ挿入されると、コンセント５２へのアクセスを最小限にとどめるために、上記指状のものが電子装置１２又はコンセント３６に対する干渉を生みだす可能性もある。別の実施形態では、可動部材は複数の方向に又は複数の態様で動くことができる。例えば、可動部材を持ち上げ、スライドすることによって可動部材を動かすようにしてもよい。
【００５４】
別の実施形態では、可動部材５０はアクセサリ１０と電気デバイス１２との間に機械的干渉を生みだしたり、当該干渉を引き起こしたりすることはできない。むしろ、コンセント５２へのアクセスを許す可動部材の動きの結果として、インタフェース回路３２（図２）と取り外し可能な部品３４との間に電力と信号の少なくともいずれかの電気的切断が生じるようにしてもよい。例えば、可動部材５０は、可動部材５０の動きによってトグルされるスイッチと結合することができる。このスイッチはアプリケーション又は取り外し可能な部品３４への電力と信号の少なくともいずれかを制御することができる。別例として、可動部材５０の位置と可動部材５０の動きの少なくともいずれかを検知して、アプリケーション又は取り外し可能な部品３４への電力と信号の少なくともいずれかを制御することができる。例えば、ホール効果センサ及び磁石又は加速度計を用いることによって位置と動きの少なくともいずれかの検知を行うことが可能となる。
【００５５】
或る好ましい実施形態に関連して本発明について図示し、説明したが、本明細書を読み、理解するとき、当業者の心に均等物及び変更が思い浮かぶことは理解されよう。本発明は、すべてのこのような均等物並びに変更を含むものであり、さらに、請求項の範囲によってのみ限定されるものである。
【図１】
0004819950.tif 000002
【図２】
0004819950.tif 000003
【図３】
0004819950.tif 000004
【図４】
0004819950.tif 000005
【図５】
0004819950.tif 000006
【図６】
0004819950.tif 000007